(57)【特許請求の範囲】
【請求項１】
照明階段の少なくとも幅方向に広げて設けた導光体とこの導光体の端面に臨んで配置した光源部とを備え、光源部から入射する光を導光体背面の拡散処理面で反射及び拡散させ、導光体前面の発光面から光を出射させる，照明階段の踏板上面をほぼ覆うように設ける略板状の照明階段用照明器具であって、前記導光体は略板状をなしその上面の発光面に保護手段を設け，照明階段の踏板の奥端部に光源部を有し、前記導光体の拡散処理面は略一様に拡散処理を施し，互いに隣合う上段の踏板の前端部と下段の踏板の奥端部とに光のコントラストを生じさせることを特徴とする照明階段用照明器具。
【請求項２】
前記導光体の奥行側両端部にそれぞれ光色の異なる光源部を設けたことを特徴とする請求項１記載の照明階段用照明器具。
【発明の詳細な説明】
【０００１】
【発明の属する技術分野】
本発明は、住宅、商業施設及び公共施設などにおける照明階段及び照明階段用照明器具に関するものである。
【０００２】
【従来の技術】
従来、屋内・屋外における住宅、商業施設及び公共施設の照明において、上方に取り付けられた照明器具からの光で下方を広範囲にわたって照射する場合、影のために足元が見にくくならないように、公共施設などでは複数の方向から光を照射させるといった器具配置の工夫などで対応していた。
【０００３】
それに対して、住宅などの屋内に設けられている照明階段には、天井に屋内用の照明器具が取り付けられているが、消費電力などを考慮して公共施設などのように複数灯を設けることは少ない。よって、このような照明器具による上方からの照明は、照明器具と観察者との位置関係によって影のために足元が見にくくなるといった問題に加えて、深夜などでは暗い場所から移動してきた場合、明るすぎて眩しく、照明階段の段差が認識しにくくなるといった問題があった。
【０００４】
そこで、特開２０００−８２３２４号公報に開示されている照明階段が提案されている。図１７に示すように、照明階段４は、その各けこみ６の上部中央に、小型で略長方形状の発光面を有する照明器具１を埋め込んだ状態で備えている。照明階段４は、下段の踏板５が照明器具１により、少なくとも人が足を置く範囲においてその前端縁部分が暗くその前端縁部分以外の部分が明るくなるように照明しているので、踏板５のエッジ部分の視認性が高くなるようにしている。
【０００５】
しかし、光源部２がけこみ６の上部中央に位置しているため、階下から照明階段４を見上げた場合に輝度の高い光源部２を直視することになるので、観察者にグレア（眩しさ）を与えないように光源部２の輝度を下げると、照射面である踏板５の両端部の照度が低くなり観察者が照明階段４の形状を明確に認識することができなくなってしまうといった問題があった。逆に、照明階段４の形状を明確に認識できるように光源部２の輝度を上げると、観察者にグレア（眩しさ）を与えてしまうといった問題もあった。
【０００６】
一方、特開平１１−２７３４３５号公報に開示されている照明階段などに使用する照明器具が提案されている。これは、導光体を利用した均一照度を得るための照明器具であるが、同技術においては、照明階段用照明器具として具体的に適用させる方法、すなわち照明階段の形状を容易に認識できるような構成が明示されていなかった。
【０００７】
【発明が解決しようとする課題】
本発明は前記の全ての問題点に鑑みてなされたもので、その目的とするところは、照明階段の形状を容易に認識できるようにすると共に、光源部を直視してもグレア（眩しさ）を生じにくいようにすることができる照明階段及び照明階段用照明器具を提供することである。
【０００８】
【課題を解決するための手段】
本発明は前記目的を達成するために、水平に設置した略長方形の踏板と略鉛直に設置した略長方形のけこみとが、互いに隣合って形成した複数の段を連接させると共に、各段に照明器具を備えてなる照明階段において、前記照明器具は、前記踏板若しくは前記けこみに設けられ、照明階段の少なくとも幅方向に広げて設けた導光体とこの導光体の端面に臨んで配置した光源部とを備え、光源部から入射する光を導光体背面の拡散処理面で反射及び拡散させ、導光体前面の発光面から光を出射させて、互いに隣合う上段の踏板の前端部と下段の踏板の奥端部とに光のコントラストを生じさせることを特徴とするものである。
【００１２】
また，照明階段の少なくとも幅方向に広げて設けた導光体とこの導光体の端面に臨んで配置した光源部とを備え、光源部から入射する光を導光体背面の拡散処理面で反射及び拡散させ、導光体前面の発光面から光を出射させる照明階段用照明器具であって、照明階段の踏板に設けられて、互いに隣合う上段の踏板の前端部と下段の踏板の奥端部とに光のコントラストを生じさせることを特徴とするものである。
【００１５】
また，照明階段のけこみ前面に設ける略板状の照明階段用照明器具であって、前記導光体は略板状をなし、その幅方向の少なくとも一端若しくは高さ方向の少なくとも一端に光源部を設けたことを特徴とするものである。
【００２１】
また、照明階段の踏板上面をほぼ覆うように設ける略板状の照明階段用照明器具であって、前記導光体は略板状をなしその上面の発光面に保護手段を設けたことを特徴とするものである。
【００２２】
また、照明階段の踏板の奥端部に光源部を有し、前記導光体の拡散処理面は略一様に拡散処理を施したことを特徴とするものである。
【００２３】
請求項２記載の発明にあっては、請求項１記載の発明において、前記導光体の奥行側両端部にそれぞれ光色の異なる光源部を設けたことを特徴とするものである。
【００２４】
【発明の実施の形態】
（参考となる第１の実施の形態）発明の参考となる第1の実施の形態に係る照明階段の斜視図を図１（ａ）に、照明器具の断面図を図１（ｂ）に示す。照明階段４は、略長方形の踏板５とそれに対して略垂直となるけこみ６とが互いに隣接した単位をなして連続して構成されており、横長板状の照明器具１が各けこみ６の略中央位置に設けられている。照明器具１は、冷陰極ランプを内蔵した２つの光源部２と、略板状でその両短辺側面に前記光源部２がそれぞれ臨んでいる透明アクリル製の導光体３と、光源部２及び導光体３を一体化してけこみ６に取り付けるハウジング（図示省略）とにより構成されている。導光体３は、両短辺側面が光源部２から発する光線２ａの入射面であり、前面が光線２ａを踏板５に照射する発光面７であり、背面が細密加工による拡散処理が施されけこみ６側に向いた拡散処理面８である。拡散処理面８は、全反射をする表面に光線２ａを拡散させる部分を設けて構成されている。なお、光源部２は導光体３の短辺の両端面に設置しているが、長辺の両端面に設置しても良い。
【００２５】
図１（ｂ）に示すように、光源部２より発した光線２ａは、光源部２に接する導光体２の入射面より入射し、導光体２の拡散処理面８にて全反射や拡散を繰り返し発光面７より出射して、踏板５を略均一に照射する。以上のように構成することにより、以下の効果を得ることができる。
【００２６】
・発光面７から出射する光線２ａの輝度は、光源の大きさを拡大し単位面積当たりの輝度を低くするという導光体２の特徴により、光源部２の光源自体を直視した場合と比較して低くなるため、観察者が発光面７を直視してもグレア（眩しさ）を生じにくい。
【００２７】
・光源部２を導光体３の左右方向の両端あるいはそのいずれか一方に設置した場合、小さな光源部２を用いても発光面７の左右方向の長さを長くできるため、照射される踏板５の左右方向の照度変化を小さく抑えることができ、観察者が照明階段４の形状を認識しやすくなる。
【００２８】
・照明器具１を薄板状に構成しているので、デザイン上の自由度が高く、後付けが可能となる。
【００２９】
なお、図２（ａ）、（ｂ）に示すように、照明器具１の発光面７が略正方形をなした場合でも上記１及び３番目と同様の効果を得ることができる。
【００３０】
（参考となる第２の実施の形態）発明の参考となる第２の実施の形態に係る照明階段の斜視図を図３（ａ）に、照明器具の断面図を図３（ｂ）、（ｃ）に示す。参考となる第１の実施の形態と異なる構成は、角棒状の導光体３の一端にＬＥＤを光源とする光源部２を配置した照明器具１を、踏板５のだんばな１０の下面とけこみ６の前面との両方に接するように設置し、導光体３の前面と下面とを発光面となるようにしたことであり、その他の前記参考となる第１の実施の形態と同一構成については同一符号を付してその説明を省略する。ここで、だんばな１０は踏板５がけこみ６から前方に突出した部分のことである。ハウジング９は光源部２及び導光体３を一体化してけこみ６に取り付けている。
【００３１】
以上のように構成することにより、導光体３が角棒状で前面と下面とを発光面としたので、広範囲に光を照射することができる。従って、参考となる第１の実施の形態の効果に加えて、以下の効果を得ることができる。
【００３２】
・発光面７からの光線２ａにより、下方から見上げた場合に照明階段４のエッジが強調されるので、観察者が照明階段４の形状を認識しやすくなる。
【００３３】
・導光体３の体積が小さくて済むため、コストを抑えることができる。
【００３４】
（参考となる第３の実施の形態）発明の参考となる第３の実施の形態に係る照明階段の斜視図を図４（ａ）に、照明器具の断面図を図４（ｂ）に示す。参考となる第１の実施の形態と異なる構成は、ＬＥＤを光源とする照明器具１をけこみ６と略同一の大きさにし、照明器具１でけこみ６の全面を覆ったことであり、その他の前記参考となる第１の実施の形態と同一構成については同一符号を付してその説明を省略する。ここで、図４（ｂ）に示すように点灯回路１１は光源部２の側方に設けている。
【００３５】
以上のように構成することにより、参考となる第１の実施の形態の効果に加えて、以下の効果を得ることができる。
【００３６】
・発光面７の面積が大きくなるので、照射面で同一照度を達成しようとした時の発光面７の輝度が低くなり、グレアを生じにくい。
【００３７】
・けこみ６全面から光を照射するので、照明階段４を下から見上げた場合の美観に優れる。
【００３８】
（参考となる第４の実施の形態）発明の参考となる第４の実施の形態に係る照明階段の斜視図を図５（ａ）に、照明器具の断面図を図５（ｂ）に示す。参考となる第１の実施の形態と異なる構成は、ＬＥＤを光源とする照明器具１を踏板５と略同一の大きさにし、照明器具１で踏板５の全面を覆い、照明器具１にはその発光面７側に強化ガラス製の保護板１２を設け、ハウジング９の内部を白色としたことであり、その他の前記参考となる第１の実施の形態と同一構成については同一符号を付してその説明を省略する。なお、光源部２を踏板５の長辺側端面に設けているが、短辺側端面に設けても良い。
【００３９】
以上のように構成することにより、参考となる第１の実施の形態の効果に加えて、以下の効果を得ることができる。
【００４０】
・発光面積が大きいので、照射面で同一照度を達成しようとする時の発光面７の輝度が低くなり、グレアを生じにくい。
【００４１】
・むらのない均整度の高い照明を実現することができ、照明階段４を上から見下ろした場合、美観に優れる。
【００４２】
・踏板５自体が発光するため、踏板５に物体がある場合でも影ができずその物体を認識しやすい。
【００４３】
・ハウジング９自体がハウジング９側に出射していた光を反射させ発光面７から出射させる反射板の役割をなしているので、照明を有効利用することができ、全体構成を簡単にすることができる。
【００４４】
（参考となる第５の実施の形態）発明の参考となる第５の実施の形態に係る照明階段の斜視図を図６（ａ）に、照明器具の断面図を図６（ｂ）に示す。第２の実施の形態と異なる構成は、光源部２を導光体３の一方の短辺側面のみに設け、導光体３の入射面の対向面に反射板１３を設けたことであり、その他の前記第２の実施の形態と同一構成については同一符号を付してその説明を省略する。
【００４５】
入射面から入射した光は、導光体３に何も処理をしないと入射面の対向面から出射してしまうが、入射面の対向面に反射板１３を設置することにより、その光は導光体３内に反射し拡散処理面８にあたって発光面７から出射することになる。
【００４６】
以上のように構成することにより、参考となる第２の実施の形態の効果に加えて、反射板１３まで導光してきた光を再度導光体３に戻すことで、効率が上がるため、必要な照度をより小さな光束の光源部２で実現することができる。なお、本照明器具１は板状であっても良い。
【００４７】
（参考となる第６の実施の形態）発明の参考となる第６の実施の形態に係る照明階段の斜視図を図７（ａ）に、照明器具の断面図を図７（ｂ）に示す。参考となる第２の実施の形態と異なる構成は、ＬＥＤを光源とする光源部２を導光体３の両端に設けたことであり、その他の前記参考となる第２の実施の形態と同一構成については同一符号を付してその説明を省略する。
【００４８】
以上のように構成することにより、一方の端面にのみ光源部２が設けられている場合と比較してより明るさを確保することができ、照明階段４の横幅が広くなる場合、照明器具１を棒状にすることで面状よりコストを抑えることができる。従って、参考となる第２の実施の形態の効果に加えて、光束が増加するので、より広い照射面を必要な照度で照らすことが可能となる。
【００４９】
（参考となる第７の実施の形態）発明の参考となる第７の実施の形態に係る照明階段の斜視図を図８（ａ）に、照明器具の断面図を図８（ｂ）に示す。参考となる第２の実施の形態と異なる構成は、拡散処理部８ａを光源部２から離れるに従い面積が徐々に大きくなるように設けたことであり、その他の前記第２の実施の形態と同一構成については同一符号を付してその説明を省略する。
【００５０】
導光体３のある断面を通過する光束は、導光していく途中で拡散処理面８に当たることにより導光体３の外側に出射する光束が生ずるため、光源部２から遠ざかるにつれて減少する。このため、導光体３の長手方向に対して略均一な拡散処理が施されている場合、導光体３から出射する光束は光源部２からの距離に応じて減少し、発光面７の輝度や照射面の照度もそれに応じて減少するが、以上のように構成することにより、光源部２からの距離にかかわらず導光体３から出射する光束は略一定になり、発光面７の輝度や照射面の照度も略均一になる。従って、参考となる第２の実施の形態の効果に加えて、以下の効果を得ることができる。なお、本照明器具１は板状であっても良い。
【００５１】
・発光面７の輝度が略均一になるため、美観に優れる。
【００５２】
・光源部２を導光体３の左右方向の両端あるいはそのいずれか一方に設置した場合、照射面の左右方向の照度変化を小さく抑えることができ、観察者が照明階段４の形状を認識しやすくなる。
【００５３】
・光源部２に近い方が導光される光束が多いので、拡散して出射する光束の割合を光源部２に近い方で少なく、遠ざかるにしたがって多くすることにより、最終的に出射する光束が略均一になり均整度の高い照明が実現できる。
【００５４】
（参考となる第８の実施の形態）発明の参考となる第８の実施の形態に係る照明階段の斜視図を図９（ａ）に、照明器具の断面図を図９（ｂ）に示す。第７の実施の形態と異なる構成は、拡散処理部８ａを光源部２から離れるに従い密度が上昇するように設けたことであり、その他の前記第７の実施の形態と同一構成については同一符号を付してその説明を省略する。
【００５５】
光源部２から離れるにしたがって密度が上昇するように拡散処理を施すことにより、光源部２からの距離にかかわらず導光体３から出射する光束は略一定になり、発光面７の輝度や照射面の照度も略均一になる。
【００５６】
以上のように構成することにより、参考となる第７の実施の形態と同様の効果を得ることができる。
【００５７】
（参考となる第９の実施の形態）発明の参考となる第９の実施の形態に係る照明階段の斜視図を図１０（ａ）に、照明器具の断面図を図１０（ｂ）に、その斜視図を図１０（ｃ）に示す。参考となる第３の実施の形態と異なる構成は、導光体３の拡散処理面８において、図や文字を描くように拡散処理を施したことであり、その他の前記参考となる第３の実施の形態と同一構成については同一符号を付してその説明を省略する。
【００５８】
以上のように構成することにより、前面から観察した場合に図や文字が発光して見えるので、容易に図や文字情報を識別することができる。従って、参考となる第３の実施の形態の効果に加えて、照明器具としての機能だけでなく、広告やサインとしての機能をも実現できる。図や文字の大きさは踏板５の照度が十分得られるように考慮している。
【００５９】
（参考となる第１０の実施の形態）発明の参考となる第１０の実施の形態に係る照明階段の斜視図を図１１（ａ）に、照明階段の断面図を図１１（ｂ）に、その斜視図を図１１（ｃ）に示す。参考となる第３の実施の形態と異なる構成は、図や文字を印刷した透過性の表示シート１４を導光体３と強化ガラス製の保護板１２との間に配置したことであり、その他の前記参考となる第３の実施の形態と同一構成については同一符号を付してその説明を省略する。
【００６０】
以上のように構成することにより、表示シート１４に印刷されている図や文字を容易に識別することができる。従って、参考となる第９の実施の形態と同様の効果を得ることができる。なお、けこみ６に照明器具１を設けても良い。
【００６１】
（参考となる第１１の実施の形態）発明の参考となる第１１の実施の形態に係る照明階段の斜視図を図１２（ａ）に、照明器具の断面図を図１２（ｂ）に、その配光特性を図１２（ｃ）に示す。参考となる第３の実施の形態と異なる構成は、光源部２をけこみ６の上端部側に設置したことであり、その他の前記参考となる第３の実施の形態と同一構成については同一符号を付してその説明を省略する。
【００６２】
以上のように構成することにより、導光体３の配光特性１５は図１２（ｃ）に示すように踏板５の照度分布がけこみ６近傍で高くなり、けこみ６から離れるにしたがって照度が低下していくようになる。従って、参考となる第３の実施の形態の効果に加えて、けこみ６近傍から離れるにしたがって照度が低下していくので、踏板５を上から見た場合に輝度コントラストが発生し、照明階段４の段差位置が認識しやすくなり足の踏み外しを防止することができる。
【００６３】
（本件発明の第１の実施の形態）発明の本件発明の第１の実施の形態に係る照明階段の斜視図を図１３（ａ）に、照明器具の断面図を図１３（ｂ）に示す。第４の実施の形態と異なる構成は、拡散処理面において導光体３の長手方向に沿って略一様に拡散処理を施したことであり、その他の前記参考となる第４の実施の形態と同一構成については同一符号を付してその説明を省略する。
【００６４】
第７及び第８の実施の形態のような出射する光束を略均一にする処理を施さず、導光体３の拡散処理部８ａは光源部２からの距離にかかわらず略一様に施しているので、踏板５の輝度分布は光源部２近傍で高くなり、光源部２から離れるにしたがって低下する。
【００６５】
以上のように構成することにより、参考となる第４の実施の形態の効果に加えて、踏板５の輝度がけこみ６からの距離に応じて変化するため、踏板５を上から見た場合に輝度コントラストが発生し、照明階段４の段差位置が認識しやすくなり足の踏み外しを防止することができる。
【００６６】
（参考となる第１２の実施の形態）発明の参考となる第１２の実施の形態に係る照明階段の斜視図を図１４（ａ）に、照明器具の断面図を図１４（ｂ）に示す。参考となる第４の実施の形態と異なる構成は、光色が光源部２と異なるＬＥＤを光源とする光源部２’を導光体３の光源部２と反対側の端面に設けたことであり、その他の前記第４の実施の形態と同一構成については同一符号を付してその説明を省略する。
【００６７】
以上のように構成することにより、一方の光源部２近傍から他方の光源部２’に近づくにつれ、発光面７の光色がゆるやかに変化していく。従って、参考となる第４の実施の形態の効果に加えて、踏板５の色がけこみ６からの距離に応じて変化するため、踏板５を上から見た場合にコントラストが発生し、照明階段４の段差位置が認識しやすくなり足の踏み外しを防止することができる。
【００６８】
（参考となる第１３の実施の形態）発明の参考となる第１３の実施の形態に係る照明階段の斜視図を図１５（ａ）に、照明器具の断面図を図１５（ｂ）、（ｃ）に、導光体の断面図を図１５（ｄ）に、照射範囲を図１５（ｅ）示す。参考となる第２の実施の形態と異なる構成は、導光体３を丸棒状としてその拡散処理面８をけこみ６側上部から斜め下方向に向け、その発光面７が凸形状のレンズ構造をなしていることであり、その他の前記参考となる第２の実施の形態と同一構成については同一符号を付してその説明を省略する。
【００６９】
以上のように構成することにより、拡散処理面８に当たって拡散反射した光線２ａが、対面の曲面によって下方向照射範囲１６に集光され、とりわけ照明器具１直下の照度を高くできる。従って、参考となる第２の実施の形態の効果に加えて、踏板５の輝度が照明器具１直下からの距離に応じて変化するので、踏板５を上から見た場合に輝度コントラストが発生し、照明階段４の段差位置が認識しやすくなり足の踏み外しを防止することができる。
【００７０】
（参考となる第１４の実施の形態）発明の参考となる第１４の実施の形態に係る照明階段の斜視図を図１６（ａ）に、導光体の断面図を図１６（ｂ）に、照明器具の断面図を図１６（ｃ）に示す。参考となる第１３の実施の形態と異なる構成は、導光体３が鉛直下方向に向けて細くなる略半楕円形状をなして、以下の条件を満たす楕円の一部になっていることであり、その他の前記参考となる第１４の実施の形態と同一構成については同一符号を付してその説明を省略する。
【００７１】
・楕円の長径ａと短径ｂの比が、およそｂ×ｂ／（ａ×ａ）＝（ｎ’×ｎ’−ｎ×ｎ）／（ｎ’×ｎ’）に近い値をとる。ここで、ｎは空気の屈折率、ｎ’は導光体材質の屈折率である。
【００７２】
・一方の楕円の焦点１７が拡散処理面８の上にあり、楕円の中心は拡散処理面８より照射方向側にある。
【００７３】
以上のように構成することにより、第１４の実施の形態と同様の効果を得ることができる。
【００７４】
【発明の効果】
請求項１記載の発明によれば、照明階段の形状を容易に認識できるようにすると共に、光源部を直視してもグレア（眩しさ）を生じにくいようにすることができる照明階段用照明器具を提供することができる。
【００８０】
また，階段を下る際光源が目に入らず安全性を高めると共に照明階段の美観をも高めることができる。
【００８６】
また、照明階段の踏板が発光するので、踏板上に物体がある場合でも容易に認識することができる。
【００８７】
また，導光体の構成を簡単しながらも確実に光のコントラストを生じさせることができる。
【００８８】
請求項２記載の発明によれば、請求項１記載の発明の効果に加えて、複数の光色の光源を用いることで照明階段の美観を高めることができる。
【図面の簡単な説明】
【図１】図１は本発明の参考となる第１の実施の形態に係る照明階段及び照明階段用照明器具を示す。
【図２】図２は本発明の参考となる第１の実施の形態に係る照明階段及び照明階段用照明器具を示す。
【図３】図３は本発明の参考となる第２の実施の形態に係る照明階段及び照明階段用照明器具を示す。
【図４】図４は本発明の参考となる第３の実施の形態に係る照明階段及び照明階段用照明器具を示す。
【図５】図５は本発明の参考となる第４の実施の形態に係る照明階段及び照明階段用照明器具を示す。
【図６】図６は本発明の参考となる第５の実施の形態に係る照明階段及び照明階段用照明器具を示す。
【図７】図７は本発明の参考となる第６の実施の形態に係る照明階段及び照明階段用照明器具を示す。
【図８】図８は本発明の参考となる第７の実施の形態に係る照明階段及び照明階段用照明器具を示す。
【図９】図９は本発明の参考となる第８の実施の形態に係る照明階段及び照明階段用照明器具を示す。
【図１０】図１０は本発明の参考となる第９の実施の形態に係る照明階段及び照明階段用照明器具を示す。
【図１１】図１１は本発明の参考となる第１０の実施の形態に係る照明階段及び照明階段用照明器具を示す。
【図１２】図１２は本発明の参考となる第１１の実施の形態に係る照明階段及び照明階段用照明器具を示す。
【図１３】図１３は本発明の第１の実施の形態に係る照明階段及び照明階段用照明器具を示す。
【図１４】図１４は本発明の参考となる第１２の実施の形態に係る照明階段及び照明階段用照明器具を示す。
【図１５】図１５は本発明の参考となる第１３の実施の形態に係る照明階段及び照明階段用照明器具を示す。
【図１６】図１６は本発明の参考となる第１４の実施の形態に係る照明階段及び照明階段用照明器具を示す。
【図１７】図１７は従来技術に係る照明階段及び照明階段用照明器具を示す。
【符号の説明】
１  照明器具
２  光源部
３  導光体
４  照明階段
５  踏板
６  けこみ
７  発光面
８  拡散処理面
【図１】
0004045733.tif 000002
【図２】
0004045733.tif 000003
【図３】
0004045733.tif 000004
【図４】
0004045733.tif 000005
【図５】
0004045733.tif 000006
【図６】
0004045733.tif 000007
【図７】
0004045733.tif 000008
【図８】
0004045733.tif 000009
【図９】
0004045733.tif 000010
【図１０】
0004045733.tif 000011
【図１１】
0004045733.tif 000012
【図１２】
0004045733.tif 000013
【図１３】
0004045733.tif 000014
【図１４】
0004045733.tif 000015
【図１５】
0004045733.tif 000016
【図１６】
0004045733.tif 000017
【図１７】
0004045733.tif 000018